(57)【要約】【課題】  エアゾール容器の噴射操作性を向上させること。【解決手段】  エアゾールバルブ２０のステム２１に結合される噴射部材３０を押下してエアゾール容器１０の内容物を噴射するエアゾール容器１０の噴射装置であって、エアゾール容器１０にベース部材４０を固定し、ベース部材４０に設けた回転ガイド４１に回転体５０を回転可能に支持し、噴射部材３０に設けた突出部３０Ｂを回転体５０に設けてある斜めガイド５２Ａ、５２Ｂに係合するとともに、噴射部材３０をベース部材４０に設けた回り止め部４２に回り止めして押下方向にのみ移動可能にするもの。【選択図】  図２
2008074467.tif 000002
【特許請求の範囲】
【請求項１】
エアゾールバルブのステムに結合される噴射部材を押下してエアゾール容器の内容物を噴射するエアゾール容器の噴射装置であって、
エアゾール容器にベース部材を固定し、
ベース部材に設けた回転ガイドに回転体を回転可能に支持し、
噴射部材に設けた突出部を回転体に設けてある斜めガイドに係合するとともに、噴射部材をベース部材に設けた回り止め部に回り止めして押下方向にのみ移動可能にするエアゾール容器の噴射装置。
【請求項２】
前記回転体を周方向の少なくとも２ヵ所で、ベース部材の回転ガイドに回転可能に支持する請求項１に記載のエアゾール容器の噴射装置。
【請求項３】
前記回転体が周方向に連続する凸条部又は凹溝部を備え、この凸条部又は凹溝部をベース部材の凹溝又は凸条からなる回転ガイドに嵌合する請求項１又は２に記載のエアゾール容器の噴射装置。
【請求項４】
前記回転体がエアゾール容器の外周に延在する回転操作部を設けてなる請求項１〜３のいずれかに記載のエアゾール容器の噴射装置。
【発明の詳細な説明】
【技術分野】
【０００１】
本発明はエアゾール容器の噴射装置に関する。
【背景技術】
【０００２】
エアゾール容器の多くは、エアゾールバルブのステムに噴射部材を結合し、使用者が噴射部材を押下することでステムを介してバルブを開き、エアゾール容器の内容物を噴射部材の流路から噴射する。
【０００３】
他方、特許文献１に記載のエアゾール容器では、エアゾール容器にベース部材を固定し、ベース部材に設けた下向き案内周溝に保護部材の外周の突起を係合し、保護部材を回転操作することで該保護部材の突起をベース部材の下向き案内周溝に倣わせることにより、保護部材を回転かつ下降させ、この保護部材により噴射部材を押下させることとしている。
【特許文献１】特開2002-320885
【発明の開示】
【発明が解決しようとする課題】
【０００４】
特許文献１に記載のエアゾール容器の噴射装置には以下の問題点がある。
(1)使用者が保護部材を回転だけでなく下降させる必要があり、エアゾール容器をつかんだ片手の指先で保護部材を操作するとき等における操作性が悪い。
【０００５】
(2)保護部材の突起とベース部材の案内周溝の係合を、周方向の１ヵ所で行なうだけであり、保護部材をがたなく円滑に回転かつ下降させることの操作性が悪い。
【０００６】
(3)保護部材に設ける操作部がエアゾール容器から離れた保護部材の上端側に設けられており、エアゾール容器をつかんだ片手の指先が操作部に届きにくく、エアゾール容器をつかんだ後で操作部を操作するためにエアゾール容器を持ちかえる必要があり、この点でも操作性が悪い。
【０００７】
本発明の課題は、エアゾール容器の噴射操作性を向上させることにある。
【０００８】
本発明の他の課題は、エアゾール容器をつかんだとき持ちかえることなく容易に噴射操作できるようにすることにある。
【課題を解決するための手段】
【０００９】
請求項１の発明は、エアゾールバルブのステムに結合される噴射部材を押下してエアゾール容器の内容物を噴射するエアゾール容器の噴射装置であって、エアゾール容器にベース部材を固定し、ベース部材に設けた回転ガイドに回転体を回転可能に支持し、噴射部材に設けた突出部を回転体に設けてある斜めガイドに係合するとともに、噴射部材をベース部材に設けた回り止め部に回り止めして押下方向にのみ移動可能にするようにしたものである。
【発明を実施するための最良の形態】
【００１０】
図１、図２の実施例１のエアゾール容器１０は、内容物を封入した容器本体１１の上端開口部にエアゾールバルブ２０を設け、エアゾールバルブ２０のステム２１に結合した噴射部材３０を有し、噴射部材３０を押下して内容物を噴射可能にする。
【００１１】
エアゾール容器１０の容器本体１１としては、一重構造容器、二重構造容器、ピストン型容器等を採用できる。また、容器本体１１としては、金属製容器、樹脂製容器、ガラス製容器等の耐圧性容器を採用できる。
【００１２】
エアゾールバルブ２０としては、特に限定されないが、容器本体１１の上端開口部にシール部材を介してマウンティングカップ２２を取付け、マウンティングカップ２２の内部に噴射バルブを設けたものを採用できる。噴射バルブは、ハウジングと、ハウジングに設けられて連通孔を備えるステム２１と、ステム２１を外方へ付勢するスプリングと、ステム２１の外周に嵌装されてハウジングとマウンティングカップ２２に挟持されるステムラバーとから構成される。
【００１３】
噴射部材３０は、ステム２１の連通孔に連通する噴射ノズル３１を備える。噴射部材３０の噴射ノズル３１には、特に限定されないが、流路３２Ａを備えた櫛３２を接続できる。
【００１４】
エアゾール容器１０は、マウティングカップ２２の外周に環状のベース部材４０を固定する。ベース部材４０は周方向に連続する凹溝（又は凸条）からなる回転ガイド４１を外周に備える。また、ベース部材４０は、上端面の一部から上方に突出し、上下方向に延びる長孔状の回り止めガイド４２Ａを備えた回り止め部４２を有する。
【００１５】
エアゾール容器１０は、ベース部材４０の回転ガイド４１に回転体５０を回転可能（15度、30度等の360度を超えない回転角も含む)に支持する。回転体５０は、特に限定されないが、有天カップ状をなし、下端開口部の内周に周方向に連続する凸条部（又は凹溝部）５１を備え、この凸条部５１をベース部材４０の回転ガイド４１に嵌合する。回転体５０の凸条部５１がベース部材４０の回転ガイド４１に嵌合されたとき、回転体５０はステム２１と噴射部材３０の結合部を覆い、回転体５０の天井部の中央孔を噴射部材３０の噴射ノズル３１が嵌通して上方に突出する。回転体５０は周方向の少なくとも２ヵ所、好適には周方向に等間隔で配置される複数ヵ所で、ベース部材４０の回転ガイド４１に回転可能に支持されるのが良い。本発明の回転体５０は周方向の全周に渡ってベース部材４０の回転ガイド４１に回転可能に支持される。
【００１６】
エアゾール容器１０は、回転体５０の凸条部５１をベース部材４０の回転ガイド４１に嵌合させる組立て時に、噴射部材３０の外周から直径方向に突出させた２本のアーム状突出部３０Ａ、３０Ｂを回転体５０の周壁の直径上の２ヵ所（１ヶ所でも可）に設けてある、回転体５０の中心軸に対して一方向に斜交する孔状斜めガイド５２Ａ、５２Ｂに係合するとともに、噴射部材３０の一方の突出部３０Ａをベース部材４０に設けた回り止め部４２の回り止めガイド４２Ａに挿入する。斜めガイド５２Ａ、５２Ｂは、回転体５０の周方向に沿う一方向において、同一向きの斜め下向きをなす。噴射部材３０の突出部３０Ａはベース部材４０の回り止めガイド４２Ａにより回り止めされ、回り止めガイド４２Ａに沿う上下方向（押下方向）にのみ移動可能にされる。
【００１７】
回転体５０は、エアゾール容器１０の容器本体１１の外周に沿って下方に延在する板片状の回転操作部６０を備える。エアゾール容器１０の容器本体１１をつかんだ片手の指先で回転操作部６０を押動することで、回転体５０を回転操作できる。
【００１８】
エアゾール容器１０は以下の如くに使用される。
(1)使用者がエアゾール容器１０の容器本体１１を片手で握り、親指で回転操作部６０を図１のＡ方向、即ち容器の周方向に押し、回転体５０に回転力を付与する。
【００１９】
(2)回転体５０は原位置からベース部材４０の回転ガイド４１に案内されて回転する（図１のＢ方向）。
【００２０】
(3)回転体５０の斜めガイド５２Ａ、５２Ｂが噴射部材３０の突出部３０Ａ、３０Ｂを押圧し、この押圧力を受けた噴射部材３０は、エアゾールバルブ２０のスプリング力に抗して、上端位置からベース部材４０の回り止め部４２に沿って押下される。噴射部材３０の突出部３０Ａ、３０Ｂは回転体５０の斜めガイド５２Ａ、５２Ｂの上端側から下端側に押下げられる。
【００２１】
(4)噴射部材３０を結合したステム２１が押下げられ、エアゾールバルブ２０が開放されることにて噴射部材３０の側に吐出される内容物が、噴射部材３０に接続されている櫛３２の流路３２Ａから吐出される。
【００２２】
(5)使用者が回転体５０に付与した回転力が解除されると、エアゾールバルブ２０のスプリング力により、噴射部材３０がベース部材４０の回り止め部４２に沿って上端位置に戻り、噴射部材３０の突出部３０Ａ、３０Ｂが回転体５０の斜めガイド５２Ａ、５２Ｂを押戻し、回転体５０を原位置に復帰させる。
【００２３】
本実施例によれば以下の作用効果を奏する。
（請求項１）
(a)エアゾール容器１０は、回転体５０を回転操作すると、回転体５０の斜めガイド５２Ａ、５２Ｂが噴射部材３０に設けた突出部３０Ａ、３０Ｂを押圧し、この押圧力を受けた噴射部材３０は、ベース部材４０の回り止め部４２に回り止めされているから、該回り止め部４２に沿って押下されるものとなる。使用者は回転体５０を単に回転操作するだけで足り、下降操作する必要がないから、回転体５０に加える操作性は良く、エアゾール容器１０の噴射操作性を向上できる。エアゾール容器１０をつかんだ片手の指先で回転体５０を回転操作するとき等における操作性を向上できる。
【００２４】
（請求項２）
(b)回転体５０を周方向の少なくとも２ヵ所で、ベース部材４０の回転ガイド４１に回転可能に支持した。従って、回転体５０をがたなく円滑に回転させることができる。
【００２５】
(請求項３)
(c)回転体５０が周方向に連続する凸条部（又は凹溝部）５１を備え、この凸条部（又は凹溝部）５１をベース部材４０の凹溝（又は凸条）からなる回転ガイド４１に嵌合するようにした。従って、回転体５０をベース部材４０の回転ガイド４１に安定的に回転可能に支持できる。
【００２６】
（請求項４）
(d)回転体５０の操作部６０をエアゾール容器１０の外周に延在させた。従って、エアゾール容器１０をつかんだ片手の指先が操作部６０に容易に届き、エアゾール容器１０を片手でつかんで持ちかえることなく容易に噴射操作できる。
【００２７】
図３の実施例２のエアゾール容器１１０が実施例１のエアゾール容器１０と異なる点は、回転体５０の周壁に設けた一方向に斜交する斜めガイド５２Ａ（斜めガイド５２Ｂも同じ）の上端部に、線対称的に逆方向に斜交する孔状斜めガイド５３Ａ（斜めガイド５２Ｂに対する斜めガイド５３Ｂ）の上端部を会合させたことにある。図３において、回転操作部６０をＡ１方向に押動するときには、回転体５０が原位置からＢ１方向に回転し、斜めガイド５２Ａが噴射部材３０の突出部３０Ａを押圧し、噴射部材３０を上端位置から押下する。回転操作部６０をＡ２方向に押動するときには、回転体５０が原位置からＢ２方向に回転し、斜めガイド５３Ａが噴射部材３０の突出部３０Ａを押圧し、噴射部材３０を上端位置から押下する。
【００２８】
尚、エアゾール容器１０（１１０）にあっては、回転体５０に設ける斜めガイド５２Ａ、５２Ｂ(５３Ａ)の傾斜角度の設定替えにより、回転操作部６０に加える回転操作角に対する噴射量の変化率を調整できる。
【図面の簡単な説明】
【００２９】
【図１】図１は実施例１のエアゾール容器を示す模式斜視図である。
【図２】図２はエアゾール容器を示す模式断面図である。
【図３】図３は実施例２のエアゾール容器を示す模式斜視図である。
【符号の説明】
【００３０】
１０、１１０  エアゾール容器
２０  エアゾールバルブ
２１  ステム
３０  噴射部材
３０Ａ、３０Ｂ  突出部
４０  ベース部材
４１  回転ガイド
４２  回り止め部
５０  回転体
５１  凸条部（又は凹溝部）
５２Ａ、５２Ｂ、５３Ａ  斜めガイド
６０  回転操作部
【図１】
2008074467.tif 000003
【図２】
2008074467.tif 000004
【図３】
2008074467.tif 000005